(57)【要約】【課題】小型のスピーカーであっても低音域の拡大をなし得るようなスピーカーの構造を提供すること。【解決手段】磁気回路５０、７０、８０、９０と、磁気回路に結合されたフレーム２０と、コーン形振動板３０と、を有し、コーン形振動板３０の内周部分が磁気回路に結合され、コーン形振動板３０の外周部分がフレーム２０にエッジ１０、１１を介して結合され、上記エッジ１０、１１の少なくとも一部１１がフレーム２０の外側に接着されている、スピーカー１。【選択図】図１
2011228865.tif 000002
【特許請求の範囲】
【請求項１】
磁気回路と、磁気回路に結合されたフレームと、コーン形振動板と、を有し、コーン形振動板の内周部分が磁気回路に結合され、コーン形振動板の外周部分がフレームにエッジを介して結合され、上記エッジの少なくとも一部がフレームの外側に接着されている、スピーカー。
【請求項２】
フレームの外側に接着されるエッジのさらに外側に外周止め板が接着されている請求項１記載のスピーカー。
【請求項３】
フレームの外側に接着されるエッジがガスケットを介してフレームの外側に接着されている請求項１又は２記載のスピーカー。
【請求項４】
フレームの先端付近に窪みが形成されており、フレームの外側に接着されるエッジが前記窪みに沿って窪んで接着されている、請求項１〜３のいずれかに記載のスピーカー。
【請求項５】
フレームの外側に接着されるエッジに穿孔がなされている請求項１〜４のいずれかに記載のスピーカー。
【発明の詳細な説明】
【技術分野】
【０００１】
本発明は電気音響変換器としてのスピーカー、特に、オーディオ機器、テレビジョン受像機、自動車内等に好適に用いられるコーン形スピーカーに関する。
【背景技術】
【０００２】
オーディオ機器、テレビジョン受像機、あるいは、自動車などの輸送機内に設置されるスピーカーとして、コーン形スピーカーが多く用いられている。
図８に従来のコーン形スピーカーを図示する。図８（Ａ）は全体の断面図であり、図８（Ｂ）は同図（Ａ）におけるＩＩの部分の拡大図である。ヨーク８０、リング状のマグネット７０、リング状のプレート９０を積層結合した界磁部にフレーム２０を結合し、このフレーム２０の周縁部（図中、ＩＩで囲った領域）にコーン形振動板３０の外周の周縁部（エッジ１２）を結合し、このコーン形振動板３０の内周部分にボイスコイル５０を結合し、このボイスコイル５０の中間部をダンパー４０で保持してボイスコイル５０の下部をヨーク８０の中央部にはまりこむように構成し、コーン形振動板３０の中央上面にダストキャップ６０を貼り付けて構成している。エッジ１２をフレームに挟み込むようにガスケット１００が設けられていてもよい。
【０００３】
従来のスピーカーでは、図８（Ｂ）に例示するように、エッジ１２はフレーム２０に囲まれる領域、言い換えると、フレーム２０の内側に接着されていた。例えば、特許文献１の各図面においても、エッジ１２はフレーム２０の内側に貼られている。
【先行技術文献】
【特許文献】
【０００４】
【特許文献１】特開２００８−１１３４９号公報
【発明の開示】
【発明が解決しようとする課題】
【０００５】
近年の通信技術、音響技術の発達により、高品質の音響を再生するための電気データを得ることができている。一方、利用者にとって高音質のコンテンツを享受するためには、電気信号を音に変換するスピーカーの性能向上が決定的に重要である。迫力ある音の再現のためには、低音域の音響をよりよく発出することが重要であるものの、小型のスピーカーにとっては達成しにくい課題であった。このことに鑑みて、本発明は、小型のスピーカーであっても低音域の拡大をなし得るようなスピーカーの構造を提供することを課題とする。
【課題を解決するための手段】
【０００６】
本発明者らが鋭意検討した結果、以下のような本発明を完成した。
（１）磁気回路と、磁気回路に結合されたフレームと、コーン形振動板と、を有し、コーン形振動板の内周部分が磁気回路に結合され、コーン形振動板の外周部分がフレームにエッジを介して結合され、上記エッジの少なくとも一部がフレームの外側に接着されている、スピーカー。
（２）フレームの外側に接着されるエッジのさらに外側に外周止め板が接着されている（１）のスピーカー。
（３）フレームの外側に接着されるエッジがガスケットを介してフレームの外側に接着されている（１）又は（２）のスピーカー。
（４）フレームの先端付近に窪みが形成されており、フレームの外側に接着されるエッジが前記窪みに沿って窪んで接着されている、（１）〜（３）のいずれかのスピーカー。
（５）フレームの外側に接着されるエッジに穿孔がなされている（１）〜（４）のいずれかに記載のスピーカー。
【発明の効果】
【０００７】
本発明によれば、スピーカーの口径やコーン形振動板を大きくすることなくエッジの幅を大きくすることができる。エッジはスピーカーにおける低音域の拡大および音圧に影響を与える。本発明のスピーカーでは、スピーカーの口径やコーン形振動板の大きさが同じ従来品に比べて低音域が拡大され音圧を大きくすることができる。
【図面の簡単な説明】
【０００８】
【図１】本発明の実施形態におけるスピーカーの模式断面図である。図１（Ａ）は全体図であり、そのＩ部分の拡大図が図１（Ｂ）である。
【図２】本発明の幾つかの実施形態における、スピーカーの部分断面図である。
【図３】本発明の幾つかの実施形態における、スピーカーの部分断面図である。
【図４】本発明の別の形態における、スピーカーの斜視図である。
【図５】本発明の別の形態における、スピーカーの模式図である。図５（Ａ）は展開図であり、図５（Ｂ）〜（Ｅ）は部分平面図である。
【図６】本発明の別の形態における、スピーカーの斜視図である。
【図７】本発明の別の形態における、スピーカーの斜視図である。
【図８】従来のスピーカーの模式断面図である。図８（Ａ）は全体図であり、そのＩＩ部分の拡大図が図８（Ｂ）である。
【発明を実施するための最良の形態】
【０００９】
以下、図面を参照しながら本発明をさらに詳しく説明する。但し、図面は参照のためのものであって、本発明の範囲は図示された態様に限定されるものでは無い。
図１は、本発明に係るスピーカーの模式断面図である。図１（Ａ）は全体図である。図１（Ｂ）は、図１（Ａ）におけるＩ部分の拡大図である。スピーカー１は磁気回路を有する。図１の態様では、ヨーク８０、リング状のマグネット７０、リング状のプレート９０、ボイスコイル５０によって磁気回路が構成されている。スピーカーの磁気回路は従来公知の形態のものを適宜援用することができる。
【００１０】
スピーカー１はフレーム２０を有する。フレーム２０は一般的には筒状であるがそれに限定されず、スピーカーの各パーツを固定する骨組みの役割を担う。図１の態様では、フレーム２０はプレート９０の上に固定される。さらに、フレーム２０の磁気回路からもっとも離れた部分にはエッジ１０、１１を介してコーン形振動板３０が固定されており、フレーム２０によってコーン形振動板３０が張られている。
【００１１】
ヨーク８０の中央付近にはボイスコイル５０が嵌め込んである。このボイスコイル５０の中間部はダンパー４０で保持される。ボイスコイル５０の構成や取り付けなどについては図示された形態に限定されず、公知のスピーカーにおけるものを適宜採り入れることができる。コーン形振動板３０の中央上面にダストキャップ６０を有していてもよい。
【００１２】
コーン形振動板３０は音の発生のために振動するものである。コーン形振動板３０は上からみると円環状（ドーナツ状）を呈するように張られている。当該円環状に張られたコーン形振動板３０の内周部分は上記磁気回路に結合され、外周部分はエッジ１０、１１を介してフレーム２０に結合されている。
【００１３】
本発明によれば、コーン形振動板３０とフレーム２０とを介するエッジ１０、１１の少なくとも一部がフレームの外側に接着されている。図１の態様では、コーン形振動板３０に結合したエッジ１０はフレーム２０の縁部にまでわたっており、さらにフレーム２０の外側にまで伸びている。図面中、フレーム２０の外側に伸びたエッジを符号１１であらわしている。エッジの少なくとも一部がフレーム２０の外側に接着していればよく、好ましくは、フレーム２０の縁部の全部においてエッジがフレーム２０の外側に接着している。フレームの外側とは、フレームがかたちづくる筒状体の外周側という意味である。
【００１４】
フレーム２０の外側にあるエッジ１１をフレーム２０に接着する態様については特に限定は無く、エッジ１１の固定がされていればよい。具体的な接着の手段については、従来のスピーカー製造におけるエッジとフレームとの接着手段を適宜援用することができ、一般的には接着剤による接着が挙げられるがこれに限定されず、例えば、熱溶着剤による加熱接着（ホットメルト）なども挙げることができる。
【００１５】
従来のスピーカーとは異なり、フレームの外側にエッジを接着固定するために、製造工程において、好ましくは、ゴムバンドのごとく弾性体リングで、エッジ１１をフレーム２０に固定する接着剤等が硬化するまで外側から押えることができる。
【００１６】
このようにフレーム２０の外側にエッジ１１の端面を貼ることにより、エッジ１１を広くすることができ、結果として、従来と同じ口径・同面積の振動板３０をもつスピーカーよりも低音域を拡大し、音圧を上げることができる。
【００１７】
図２は、本発明の幾つかの実施形態における、スピーカーの部分断面図である。図２（Ａ）〜（Ｃ）とも、スピーカーにおけるエッジ付近の拡大断面図である。図１のスピーカーとは異なり、図２のスピーカーでは、フレーム２０の内側にある部分のエッジ１０が磁気回路とは反対方向に盛り上がって形成されている。図２（Ａ）の態様では、フレーム２０の断面直線的な部分の外側にエッジ１０が接着されている。図２（Ｂ）の態様では、フレーム２０の外側にあるエッジ１１が長くとってあり、フレーム２０の折れ曲がりに沿ってエッジ１１も折り曲げられて接着されている。このような形態により、エッジ１１をより広く形成することができる。
【００１８】
図２（Ｃ）の態様では、図２（Ｂ）の態様に加えて、フレーム２０の外側に接着されたエッジ１１をさらに外側から保護するように外周止め板１５が設けられている。外周止め板１５の材質は特に限定は無く、エッジ１１を物理的に保護できればよく、例えば、合成樹脂層、合成ゴム層、金属リング（アルミリング等）、などが挙げられる。外周止め板１５の形成方法も特に限定は無く、その材質などに応じて接着剤でエッジ１１と接着したり、あるいは、エッジ１１の外周に液状の前駆体を塗布してしかる後に層を形成させるなど適宜採用することができる。外周止め板１５の存在により、外側のエッジ１１が物理的に保護され、本発明をいっそう効果あらしめることができる。
【００１９】
図３も、本発明の幾つかの実施形態における、スピーカーの部分断面図である。図３（Ａ）〜（Ｃ）とも、スピーカーにおけるエッジ付近の拡大断面図である。図１のスピーカーと同様に、図３のスピーカーでは、フレーム２０の内側にある部分のエッジ１０が磁気回路に向けて窪むように形成されている。図３（Ａ）の態様では、フレーム２０の外側の広い範囲にエッジ１１が形成されている。本発明においては、フレーム２０の内側にあるエッジ１０とフレーム２０の外側にあるエッジ１１については、内側のエッジ１０の方が外側のエッジ１１より長くてもよいし、外側のエッジ１１の方が内側のエッジ１０より長くてもよいし、両エッジ１０、１１が同程度の長さであってもよい。ここで、エッジの長さは、スピーカーの軸に沿った断面図、すなわち、図３の如き断面図において描写されるエッジの長さとして定義される。
【００２０】
図３（Ｂ）の態様では、フレーム２０の外側にガスケット１００を介してエッジ１１が接着されている。本発明においては、エッジ１１の少なくとも一部がフレーム２０の外側にあればよく、エッジ１１がフレーム２０に直接接着されていてもよいし、ガスケット等を介してフレーム２０に接着されていてもよい。ガスケット１００の材質やガスケット１００、フレーム２０およびエッジ１１の相互の接着の態様については従来公知の技術から適宜援用することができる。
【００２１】
図３（Ｃ）の態様では、フレーム２０の先端付近に窪み２１が形成されている。フレーム２０の外側にあるエッジ１１は前記窪み２１に沿って窪んで接着されている。このような構成により、エッジ１１がフレーム２０により強固に固定される。
【００２２】
本発明によれば、スピーカーの全体的な形状は任意であって、例えば、長方形スピーカー、丸形スピーカー、楕円形スピーカーなどであってもよい。
図４は、本発明による長方形スピーカーの斜視図である。スピーカー２の全体的な構造はフレーム２０がかたちづくる直方体状である。スピーカー２の中心付近にある磁気回路（図示せず）にコーン形振動板３０の内周部分が固定される。このコーン形振動板３０の外周部分はエッジ１０、１１を介してフレーム２０に固定されている。エッジの一部１１はフレーム２０の側面を覆うようにしてフレーム２０の外側に接着されている。
【００２３】
図５（Ａ）は、図４の形態の長方形スピーカーにおいて、フレーム２０に接着したエッジ１１を展開した状態の平面図である。符号１１で示されるエッジ部分が折り曲げられてフレーム２０の外周に接着される。接着の際には一般に接着剤が用いられる。過剰な接着剤を逃がすために、フレーム２０に貼り付けられる部分のエッジ１１の形状を工夫することができ、例えば、エッジ１１の一端を山形にカットしたり、エッジ１１に穿孔して接着剤を逃がすための孔を設けることができる。図５（Ｂ）〜（Ｅ）はフレーム２０の外側に接着される部分のエッジの平面図である。図５（Ｂ）のエッジ１１は一端が山形にカットされている。図５（Ｃ）〜（Ｅ）のエッジ１１は穿孔されていて、種々の形状・配置の孔１０１〜１０３が存在している。
【００２４】
図６は、本発明による丸形スピーカーの斜視図である。このスピーカー３において、フレーム２０が円筒状の外形形状を構成している。中心付近にある磁気回路（図示せず）から延びるコーン形振動板３０はエッジ１０、１１を介してフレーム２０に接着されている。エッジはフレーム２０の外側に折り返すようにしてフレーム２０に接着されている。
【００２５】
図７は、本発明による楕円形スピーカーの斜視図である。このスピーカー４において、フレーム２０によって断面が楕円形である筒状の外形形状が構成されている。中心付近にある磁気回路（図示せず）から延びるコーン形振動板３０はエッジ１０、１１を介してフレーム２０に接着されている。エッジはフレーム２０の外側に折り返すようにしてフレーム２０に接着されている。
【００２６】
以上、各形状のスピーカーについて本発明の適用の可能性を言及したが、本発明は具体的に記載した形状のスピーカーに限られず、種々の形状のスピーカーにおいて適用可能である。
【産業上の利用可能性】
【００２７】
本発明によれば、スピーカーの全体のサイズを大きくせずに低音域を拡大し音圧を上げることができるので、小型のスピーカーにおいてより迫力ある音を再現する音響機器への適用が期待される。
【符号の説明】
【００２８】
１、２、３、４、５  スピーカー
１０、１１、１２  エッジ
１５  外周止め板
２０  フレーム
３０  コーン形振動板
４０  ダンパー
５０  ボイスコイル
６０  ダストキャップ
７０  マグネット
８０  ヨーク
９０  プレート
１００  ガスケット
１０１、１０２、１０３  孔
【図１】
2011228865.tif 000003
【図２】
2011228865.tif 000004
【図３】
2011228865.tif 000005
【図４】
2011228865.tif 000006
【図５】
2011228865.tif 000007
【図６】
2011228865.tif 000008
【図７】
2011228865.tif 000009
【図８】
2011228865.tif 000010